(57)【特許請求の範囲】
【請求項１】
内周面に母線に沿うタンブラー係止溝を形成した外筒と、この外筒と回転自在に嵌合する円筒体で、中心軸線に沿って延在する案内ブロックを内側に一体的に形成すると共に、この案内ブロックに中心軸線に沿って鍵孔を形成した内筒と、上記鍵孔を切断するようにして案内ブロックを鍵孔の厚さ方向に貫通し、中心軸線方向に沿って積層された複数の案内スリット群と、各案内スリットに摺動可能に案内された板状体で、中央部に鍵孔を遊動可能に包囲する鍵挿通孔を開口させ、この鍵挿通孔の合鍵本体部の側面に対向する開口端縁に、合鍵本体部の幅方向における形成位置及び突出量を違えて係合突起を突設すると共に、この係合突起が合鍵に近接する方向に付勢されたタンブラーの複数と、タンブラー及び合鍵の本体部側面の双方に垂直な揺動面への投影が平行４辺形となる４節回転機構であって、鍵孔の開口付近に配設され、上記揺動面に垂直な回動軸の回りを回動自在に支承された第１リンク、鍵孔の奥に配設され、第１リンクの回動軸と平行な回動軸の回りを回動自在に支承された第２リンク、これら第１及び第２リンクの自由端にリンク結合され、上記タンブラー群の全てにその付勢方向とは反対方向から係合する作動枠とを有するタンブラー駆動機構と、第１及び第２リンクの夫々に鍵孔と干渉する方向に突設され、揺動面への投影形状が略逆三角形の作動カムと、鍵孔に挿入されたときタンブラーの係合突起と整合する側面の部位に所定の深さの窪みを形成すると共に、作動カムと整合する部位に作動カムが嵌まり込む係合孔を形成した合鍵とを有し、合鍵を鍵孔に挿入するときその先端で第１リンクの作動カムを押動することによりタンブラー駆動機構を作動させて全タンブラーの係合突起を鍵孔から退避させ、合鍵を完全に鍵孔に挿入したとき、第１及び第２リンクの作動カムが合鍵の係合孔に嵌まり込んでタンブラーの係合突起が合鍵の窪みに係入し、タンブラーの両端がシアーラインに揃うようにしたことを特徴とするシリンダ錠。
【発明の詳細な説明】
【０００１】
【発明の属する技術分野】
この発明は、新規なシリンダ錠に関する。
【０００２】
【従来の技術】
通常シリンダ錠と称されるタンブラー錠は、ピンタンブラー錠、ディスクタンブラー錠、レバータンブラー（ロータリーディスクタンブラー）錠或いは磁石タンブラー錠等種々の型式のものがある。
【０００３】
これら各種のシリンダ錠は、夫々の作動原理や構造は従来周知であるから、ここでは更に詳細な説明はしない。
【０００４】
【発明が解決しようとする課題】
上記した従来のシリンダ錠は、例えば上記した４種のシリンダ錠の内前３者は、内筒の軸線に沿って列設されたタンブラー群を合鍵の鍵溝に形成された傾斜端縁が押し分けていく構造であるから、傾斜端縁を確保するためにタンブラーの間隔を小さくすることができず、したがってタンブラーを多くすることができないので、鍵違いを多くすることができない、という原理的な不都合がある。
【０００５】
この事情は、相互に隣接する磁石タンブラーの磁束の干渉を避けるため、磁石タンブラーの間隔を小さくできない、という磁石タンブラー錠においても同様である。
【０００６】
また、機械的なタンブラー錠ではタンブラーの一部が鍵孔内に露出するので、所謂ピッキングによる不正解錠が可能であり、これは磁石タンブラー錠においても同様である。
【０００７】
そこで、この発明は、鍵違いを従来のものと比較して格段に多くすることができると共に、所謂ピッキングを困難にする新規なシリンダ錠を提供することを目的としている。
【０００８】
【課題を解決するための手段】
上記の目的を達成するため、この発明は、内周面に母線に沿うタンブラー係止溝を形成した外筒と、この外筒と回転自在に嵌合する円筒体で、中心軸線に沿って延在する案内ブロックを内側に一体的に形成すると共に、この案内ブロックに中心軸線に沿って鍵孔を形成した内筒と、上記鍵孔を切断するようにして案内ブロックを鍵孔の厚さ方向に貫通し、中心軸線方向に沿って積層された複数の案内スリット群と、各案内スリットに摺動可能に案内された板状体で、中央部に鍵孔を遊動可能に包囲する鍵挿通孔を開口させ、この鍵挿通孔の合鍵本体部の側面に対向する開口端縁に、合鍵本体部の幅方向における形成位置及び突出量を違えて係合突起を突設すると共に、この係合突起が合鍵に近接する方向に付勢されたタンブラーの複数と、タンブラー及び合鍵の本体部側面の双方に垂直な揺動面への投影が平行４辺形となる４節回転機構であって、鍵孔の開口付近に配設され、上記揺動面に垂直な回動軸の回りを回動自在に支承された第１リンク、鍵孔の奥に配設され、第１リンクの回動軸と平行な回動軸の回りを回動自在に支承された第２リンク、これら第１及び第２リンクの自由端にリンク結合され、上記タンブラー群の全てにその付勢方向とは反対方向から係合する作動枠とを有するタンブラー駆動機構と、第１及び第２リンクの夫々に鍵孔と干渉する方向に突設され、揺動面への投影形状が略逆三角形の作動カムと、鍵孔に挿入されたときタンブラーの係合突起と整合する側面の部位に所定の深さの窪みを形成すると共に、作動カムと整合する部位に作動カムが嵌まり込む係合孔を形成した合鍵とを有し、合鍵を鍵孔に挿入するときその先端で第１リンクの作動カムを押動することによりタンブラー駆動機構を作動させて全タンブラーの係合突起を鍵孔から退避させ、合鍵を完全に鍵孔に挿入したとき、第１及び第２リンクの作動カムが合鍵の係合孔に嵌まり込んでタンブラーの係合突起が合鍵の窪みに係入し、タンブラーの両端がシアーラインに揃うようにしたことを特徴とする。
【０００９】
【実施例】
以下、この発明の一実施例を図面を参照して説明する。
図１において符号１は外筒を示し、この外筒１の内周面の、中心軸を挟んで相互に対称的な角度位置には、後述するタンブラー２のＨ字形の形状に対応して、夫々２条のタンブラー係止溝３、３が形成されている。
【００１０】
上記外筒１の内側には、全体を符号４で示す内筒が回動可能に嵌合している。
図示の実施例における内筒４は、図２乃至図４に示すように、大体の形状が一端（左端）が閉じたカップ状の回転体である。
【００１１】
そして、この内筒４の左端の外面にはキーガイド５が一体に突設されており、また、この左端を、図４に示すように、偏平な矩形の鍵孔６が貫通している。
【００１２】
また、内筒４の内側には、図１に示すように、内筒の中心軸線に沿って延在する案内ブロック７が一体的に形成されている。
【００１３】
図示の実施例では、図２、図３及び図５に示すように、この案内ブロック７は偏平なブロック体であって、その他端部（図２及び図３で右端部）の側端縁に形成された係合リブ８を内筒４の他端部に形成された係合スリット９に係合させるようにして、矢印方向に沿って全体が内筒４中に挿入され、かつ一体的に結合されている。
【００１４】
上記案内ブロック７には、図５に示すように、内筒４の中心軸線に沿い、かつキーガイドの鍵孔と整合する偏平な鍵孔６が形成されている。
【００１５】
また、案内ブロック７には、図２及び図５に示すように、その長さ方向に沿う複数箇所（図示の実施例では７ヵ所）において、鍵孔６を切断するようにして案内ブロックを厚さ方向に貫通する複数（図示の実施例では７個）の案内スリット１１、１１が形成されている。
【００１６】
このようにして案内ブロックの中心軸線に沿って積層するように形成された案内スリット群の夫々には、図１に示すように、前記タンブラー２が挿入され、図１において上下方向に摺動可能に案内されている。
【００１７】
図示の実施例におけるタンブラー２は、例えば図１に示すように、全体の形状が略Ｈ字形の板状体であって、その中央部には、鍵孔６を包囲し、かつタンブラーが上下方向に少し遊動しても鍵孔と干渉しない大きさの鍵挿通孔１２が開口している。
【００１８】
そして、後述する合鍵の窪みが形成されている側面に対向する鍵挿通孔１２の開口端縁には、合鍵方向に突出する係合突起１３が一体に形成されている。
【００１９】
一方、この発明によるシリンダ錠の合鍵１４は、図６に示すように、その一方の側面にタンブラー２、２と同数（７個）の複数の窪み１５、１５が形成されている。
【００２０】
これらの窪み１５、１５の合鍵の長さ方向における形成位置は、前記案内ブロック７における案内スリット１１、１１の鍵孔６の長さ方向における位置と整合するように設定されているが、合鍵本体部の幅方向の位置は、図示の実施例では５種類に設定できる。
【００２１】
そのため、合鍵の本体部の側端縁に鍵溝を形成した従来のシリンダ錠と比較して、窪みの数を５倍にすることができ、その分鍵違いを格段に多くすることができる。
【００２２】
これに対応して、上記各タンブラー２における係合突起１３は、鍵挿通孔１２の開口端縁に沿って、合鍵本体部の幅方向における形成位置を５種類に変化させて形成することができる。
【００２３】
また、各係合突起１３の突出量も、従来のシリンダ錠における鍵溝の深さと同様に、窪みの深さが０に対応するものも含めて、例えば４種類に変化させて設定することができる。
【００２４】
この場合、図１で係合突起１３を１ｍｍ短くし、一方、鍵挿通孔１２を１ｍｍ上方に移動させれば、鍵挿通孔１２内における係合突起１３の突出量は見掛け上同じになる。
【００２５】
しかしながら、この発明においては、重要なものは係合突起の先端（図１における下端）のタンブラー２の一端（例えば上端）からの距離であるから、此では係合突起の突出量はその先端のタンブラーの一端からの距離と定義する。
【００２６】
このようにして、この発明によるシリンダ錠は、鍵違いの数を従来のものと比較して格段に多くすることができる。
【００２７】
例えば上記したように係合突起１３の形成位置及び突出量を変化させるとすれば、例えばタンブラー２を７枚用いる場合、合鍵本体部の長さ方向の１ヵ所において、深さが０ではない窪みに対応する係合突起が３種類、幅方向の位置違いが５ヵ所で１５枚のタンブラーの種類があり、これに窪みが０のタンブラーの１枚を加えて１６種類のタンブラーがあるから、鍵違いは、１６7＝約２．６８億通りとなる。
【００２８】
更にまた、各タンブラー２は、圧縮コイルばねとしてのタンブラーばね１６（図１参照）の弾力により、図１で下方、すなわち、係合突起１３が合鍵１４に近接する方向に付勢されている。
【００２９】
ちなみに、これはこの発明の要旨ではないが、図示の実施例では内筒１内に案内ブロック７及び後述するタンブラー駆動機構を組込んだ後に、タンブラー２を組込む構造である。
【００３０】
そのため、図２に示すように、内筒４には案内スリット１１と整合する位置関係で、案内スリットと同数の挿入スリット１７、１７が内筒４を貫通するように形成されている。
【００３１】
そして、タンブラー２を内筒の挿入スリット１７及び後述する作動枠１８（図１参照）を挿通させてから、案内ブロックの案内スリット１１に挿入する。
【００３２】
なお、図１に示すタンブラーばね１６を組込むため、図２に示すように、挿入スリット１７の中央部は大きく開口して付番しないばね通し開口が形成されており、このばね通し開口から内筒内にタンブラーばね１６を挿入する。
【００３３】
そして、タンブラーばね１６の先端をタンブラー２に形成された付番しないばね掛け突起に係合させると共に、タンブラーばね１６が弾力により内筒４外に突出しないように、タンブラーばねの外端を断面コ字形のばね押え枠１９で係止する。
【００３４】
なお、ばね押え枠１９は、内筒の内周面の母線に沿って、例えば図２或いは図３の右端から内筒内に挿入する。
【００３５】
他方、図１において、内筒４内の案内ブロック７より上方における空間にはタンブラー駆動機構２１が配設されている。
【００３６】
このタンブラー駆動機構２１は、図７乃至図９に示す作動枠１８を介してタンブラー群を上下動させるもので、図８に示すように、タンブラー２及び合鍵１４の本体部側面の双方に垂直な揺動面への投影が平行４辺形となる４節回転機構である。
【００３７】
上記作動枠１８は、断面が偏平なコ字形で、その底面の大部分を切り欠いた（図８参照）矩形の枠体で、この枠部に、タンブラー２の側端縁に形成された段部を引っ掛けるようにして（図１参照）、タンブラー群を担持すると共に、タンブラー群にその付勢方向とは反対方向から係合する。
【００３８】
また、この作動枠１８は、鍵孔の開口付近に配設された第１リンク２２、鍵孔６の奥に配設された第２リンク２３の夫々自由端（図８で右端）にリンク結合されている。
【００３９】
上記第１及び第２リンク２２、２３は、図７乃至図９に示すように、作動枠１８の幅方向（図７で上下方向）の寸法とほぼ同じ長さの偏平なブロック体で、その自由端において側方に突出するように形成された支軸２４を、作動枠１８の側面に開口した付番しない支軸孔に回動自在に嵌合させることにより、作動枠１８にリンク結合されている。
【００４０】
また、第１及び第２リンク２２、２３には、その支持端（図８で左端）を長さ方向（作動枠１８の幅方向）に貫通する第１枢軸孔２５（図７参照）が形成されている。
【００４１】
そして、この第１枢軸孔２５及び内筒４を貫通する前記揺動面に垂直な第２枢軸孔２６（図３参照）を共通に挿通する図示しない枢軸ピンにより、第１及び第２リンク２２、２３は回動自在に支承されている。
【００４２】
更にまた、図７乃至図９に示すように、第１及び第２リンク２２、２３の図８における下面、換言すれば鍵孔６側の面には、前記揺動面への投影形状が略逆三角形のブロック体である作動カム２７が一体に突設されている。
【００４３】
これに対応して、図６に示すように、合鍵１４の本体部の先端部と基端部には、合鍵１４を鍵孔６に完全に挿入したとき上記作動カム２７が嵌まり込む係合孔２８が形成されている。
【００４４】
上記のように構成されたこの発明によるシリンダ上におけるタンブラー２、２の装填の態様は種々考えられるが、図示の実施例では、図１及び図１０に示すように、作動枠１８と係合するタンブラー２の側端縁における段部の位置を違え、かつ係合突起１３の鍵挿通孔１２内における長さを同じにして、合鍵挿入前には係合突起１３の先端が鍵孔６の底面に整合するように装填してある。
【００４５】
このとき、図１０に示すように、第１リンク２２の作動カム２７が鍵孔６内に突出している。
【００４６】
ちなみに、第１及び第２リンクの作動カム２７との干渉を避けるため、図２に示すように、案内ブロック７の前後が矩形に切り欠かれている。
【００４７】
施解錠のため鍵孔６に合鍵１４を挿入すると、図１１に示すように、合鍵の先端により第１リンクの作動カム２７が内方に押動され、そのため第１リンク２２が図１１で反時計方向に回動する。
【００４８】
前記したように第１リンクは４節回転機構の一部をなすから（図７乃至図９参照）、この第１リンクの回動に連動して第２リンク２３も反時計方向に回動し、作動枠１８と共に全タンブラー２、２が図１１で上方に移動して係合突起１３、１３が鍵孔から退避して更なる合鍵の挿入が可能となる。
【００４９】
そして、合鍵１４を完全に鍵孔中に挿入すると、図１２に示すように、第１及び第２リンクの作動カム２７が合鍵１４の係合孔２８と整合してこれに嵌まり込む結果、作動枠１８が合鍵方向に移動して、各タンブラーの係合突起１３が対応する合鍵の窪み１５（図６参照）に係入する。
【００５０】
鍵孔に挿入された合鍵が正規のものであれば、図１２に示すように、全タンブラーの両端がシアーラインに揃うので、内筒４は外筒１に対して相対的に回動可能となる。換言すれば、このシリンダ錠が解錠される。
【００５１】
解錠操作後合鍵を鍵孔から引抜くと、図１２から明らかなように、合鍵の係合孔２８に落込んでいる作動カム２７の右側の傾斜縁と、係合孔２８の右側の開口端縁との間に生じる楔作用により、第１及び第２リンク２２、２３は同時に反時計方向に回動する。
【００５２】
その結果、図１１に示すように、再び作動枠１８が上昇し、全タンブラーの係合突起１３が鍵孔６から退避するので、合鍵を抜くことが可能になり、やがて図１０に示す施錠状態に戻る。
【００５３】
【発明の効果】
以上の説明から明らかなように、この発明は、タンブラーの係合突起を合鍵の幅方向の位置を違えて形成するようにしたから、その分タンブラーの種類が増大し、従来のシリンダ錠と比較して鍵違いを格段に多くすることができる。
【００５４】
また、タンブラーを鍵の側端縁に形成された鍵溝の斜面で駆動するのではなく、リンク機構をなすタンブラー駆動機構により動かすようにしたので、タンブラーの間隔を図示のものより更に小さくしてその分タンブラーの数を多くすることができ、鍵違いを更に多くすることができる。
【００５５】
更にまた、鍵孔の入口を作動カムが塞ぐ構造なので、ピッキング工具を鍵孔内に挿入しての所謂ピッキングが不可能である、等種々の効果を奏する。
ちなみに、作動カムを押上げて鍵孔内部にピッキング工具を挿入すると、今度はタンブラーの位置調整ができない。
【図面の簡単な説明】
【図１】この発明の一実施例によるシリンダ錠の線図的拡大断面図。
【図２】内筒及び案内ブロックを展開して示す平面図。
【図３】内筒及び案内ブロックを展開して示す側面図。
【図４】内筒の正面図。
【図５】案内ブロックの正面図。
【図６】合鍵の平面図。
【図７】タンブラー駆動機構の平面図。
【図８】タンブラー駆動機構の側面図。
【図９】タンブラー駆動機構の正面図。
【図１０】この発明のシリンダ錠の作動を説明するための内筒の線図的拡大縦断面図で、施錠状態を示す。
【図１１】図１０と同様の内筒の線図的拡大縦断面図で、合鍵挿入途中を示す。
【図１２】図１０と同様の内筒の線図的拡大縦断面図で、合鍵を完全に挿入した状態を示す。
【符号の説明】
１  外筒
２  タンブラー
３  タンブラー係止溝
４  内筒
６  鍵孔
７  案内ブロック
１１  案内スリット
１２  鍵挿通孔
１３  係合突起
１４  合鍵
１５  窪み
１８  作動枠
２１  タンブラー駆動機構
２２  第１リンク
２３  第２リンク
２７  作動カム
２８  係合孔
【図１】
0004727096.tif 000002
【図２】
0004727096.tif 000003
【図３】
0004727096.tif 000004
【図４】
0004727096.tif 000005
【図５】
0004727096.tif 000006
【図６】
0004727096.tif 000007
【図７】
0004727096.tif 000008
【図８】
0004727096.tif 000009
【図９】
0004727096.tif 000010
【図１０】
0004727096.tif 000011
【図１１】
0004727096.tif 000012
【図１２】
0004727096.tif 000013